(57)【特許請求の範囲】
【請求項１】
少なくとも一の面側に第１の形態の第１のプリントコイルが形成され、他の面側に第２の形態の第２のプリントコイルが形成されてなる２枚のプリントコイル基板が平行に設けられ、
上記２枚のプリントコイル基板に対物レンズの設けられた可動部が結合されると共に、上記平行に設けられる２枚のプリントコイル基板の間にマグネットが配置された構成を有し、
上記第１及び第２のプリントコイルにそれぞれ駆動電流を供給して上記対物レンズの上下方向及び／又は左右方向の駆動を行う
対物レンズ駆動装置。
【請求項２】
上記第１のプリントコイルは左右に分割して形成されると共に、上記第２のプリントコイルは上下に分割して形成され、
上記第１のプリントコイル及び上記第２のプリントコイルが重なり合う方向の一方の側に上記マグネットが配置される
請求項１記載の対物レンズ駆動装置。
【請求項３】
上記２枚のプリントコイル基板にはそれぞれ６個の接続部が設けられ、
上記接続部のうちの２個を用いて２本の導電線により上記２枚のプリントコイル基板に設けられる上記第１及び第２のプリントコイルがそれぞれ直列に接続されると共に、
上記接続部のうちの４個を選択的に用いて４本の導電性支持部材により上記第１及び第２のプリントコイルへの駆動電流の供給が行われ、且つ上記４本の導電性支持部材により上記対物レンズの設けられた可動部が支持される
請求項１記載の対物レンズ駆動装置。
【請求項４】
上記第１のプリントコイルは左右及び上下に４分割して形成されると共に、上記第２のプリントコイルは一つに形成され、
上記第１のプリントコイル及び上記第２のプリントコイルが重なり合う方向の一方の側に上記マグネットが配置される
請求項１記載の対物レンズ駆動装置。
【請求項５】
上記２枚のプリントコイル基板にはそれぞれ４個の接続部が設けられ、
上記２枚のプリントコイル基板に設けられる上記第１及び第２のプリントコイルへの駆動電流の供給が上記４個の接続部を用いて４本の導電性支持部材によりそれぞれ並列に行われ、且つ上記４本の導電性支持部材により上記対物レンズの設けられた可動部が支持される
請求項１記載の対物レンズ駆動装置。
【請求項６】
少なくとも一の面側に第１の形態の第１のプリントコイルが形成され、他の面側に第２の形態の第２のプリントコイルが形成されてなる２枚のプリントコイル基板が平行に設けられ、
上記２枚のプリントコイル基板に対物レンズの設けられた可動部が結合されると共に、上記平行に設けられる２枚のプリントコイル基板の間にマグネットが配置された構成を有し、
上記対物レンズを通過された光ビームから少なくともトラッキング及びフォーカシングの誤差信号を検出し、
上記誤差信号に基づく駆動電流を上記第１及び第２のプリントコイルにそれぞれ供給して、上記対物レンズのトラッキング方向及び／又はフォーカシング方向の制御駆動を行う
光ピックアップ装置。
【請求項７】
上記第１のプリントコイルは左右に分割して形成されると共に、上記第２のプリントコイルは上下に分割して形成され、
上記第１のプリントコイル及び上記第２のプリントコイルが重なり合う方向の一方の側に上記マグネットが配置される
請求項６記載の光ピックアップ装置。
【請求項８】
上記２枚のプリントコイル基板にはそれぞれ６個の接続部が設けられ、
上記接続部のうちの２個を用いて２本の導電線により上記２枚のプリントコイル基板に設けられる上記第１及び第２のプリントコイルがそれぞれ直列に接続されると共に、
上記接続部のうちの４個を選択的に用いて４本の導電性支持部材により上記第１及び第２のプリントコイルへの駆動電流の供給が行われ、且つ上記４本の導電性支持部材により上記対物レンズの設けられた可動部が支持される
請求項６記載の光ピックアップ装置。
【請求項９】
上記第１のプリントコイルは左右及び上下に４分割して形成されると共に、上記第２のプリントコイルは一つに形成され、
上記第１のプリントコイル及び上記第２のプリントコイルが重なり合う方向の一方の側に上記マグネットが配置される
請求項６記載の光ピックアップ装置。
【請求項１０】
上記２枚のプリントコイル基板にはそれぞれ４個の接続部が設けられ、
上記２枚のプリントコイル基板に設けられる上記第１及び第２のプリントコイルへの駆動電流の供給が上記４個の接続部を用いて４本の導電性支持部材によりそれぞれ並列に行われ、且つ上記４本の導電性支持部材により上記対物レンズの設けられた可動部が支持される
請求項６記載の光ピックアップ装置。
【請求項１１】
マグネットの磁力をコイル部材に作用させることにより当該コイル部材が設けられた可動部を駆動して当該可動部に設けられた対物レンズを移動させる対物レンズ駆動装置と、
上記対物レンズ駆動装置の上記可動部を支持する固定部が固定されると共に少なくとも一部が非磁性体により形成されたスライドベースと、を備え、
上記可動部には、少なくとも一の面側に第１の形態の第１のプリントコイルが形成され、他の面側に第２の形態の第２のプリントコイルが形成されてなる互いに平行に設けられた２枚のプリント基板が結合され、
上記平行に設けられる２枚のプリントコイル基板の間にマグネットが配置された構成を有し、
上記第１及び第２のプリントコイルにそれぞれ駆動電流を供給して上記対物レンズの上下方向及び／又は左右方向の駆動を行う
光ピックアップ装置。
【請求項１２】
上記プリントコイル基板は、上記マグネットの磁力により直交する２方向に推力が発生するように巻き方を変えた２種類のプリントコイルを重ね合わせることによって形成されている
請求項１１記載の光ピックアップ装置。
【請求項１３】
上記スライドベースは、上記対物レンズ駆動装置に電気を供給する電気回路を形成する導電体からなる回路芯材と、上記対物レンズ駆動装置が取り付けられる絶縁体からなる外装基材とを有し、
上記回路芯材の一部を露出させて上記外装基材で回路芯材を覆うことにより上記電気回路に、電気的接続のために露出された回路露出部を設けた
請求項１１記載の光ピックアップ装置。
【請求項１４】
上記回路芯材は、外部配線に接続される１以上の端子を有し、上記外装基材は、上記端子を用いてコネクタ部を形成し、上記コネクタ部を介して外部配線と上記回路芯材を電気的に接続可能とした
請求項１３記載の光ピックアップ装置。
【請求項１５】
上記回路芯材の上記回路露出部に、上記光ビームを光学ディスクの情報記録面に向かうように放射するレーザ光源及び上記情報記録面で反射された戻りの光ビームを受光する光検出器の少なくとも一方を、パッケージで覆うことなく実装して電気的に接続した
請求項１３記載の光ピックアップ装置。
【請求項１６】
上記回路露出部に実装された上記レーザ光源及び／又は上記光検出器と上記回路芯材をワイヤボンディングによって接続した
請求項１５記載の光ピックアップ装置。
【請求項１７】
上記回路露出部にはんだ接着が可能なランド部を設け、当該ランド部にコンデンサ、抵抗等の電子部品を実装した
請求項１３記載の光ピックアップ装置。
【請求項１８】
上記ランド部の表面にはんだや金等のメッキ処理を施し、上記コンデンサ、抵抗等の電子部品を当該ランド部に実装可能とした
請求項１７記載の光ピックアップ装置。
【請求項１９】
上記回路芯材には、はんだ接着のために当該回路芯材の一部を露出させた金属露出部を設け、上記対物レンズ駆動装置を支持する調整プレートを上記金属露出部にはんだ接着によって固定した
請求項１３記載の光ピックアップ装置。
【請求項２０】
上記回路芯材には、はんだ接着のために当該回路芯材の一部を露出させた金属露出部を設け、上記光ビームが透過されるプリズムを覆うプリズムホルダ等の光学部品を支持するホルダを上記金属露出部にはんだ接着によって固定した
請求項１３記載の光ピックアップ装置。
【請求項２１】
上記外装基材は、液晶ポリマー等の樹脂系材料からなる
請求項１３記載の光ピックアップ装置。
【請求項２２】
光学ディスクを回転駆動するディスク回転装置と、
マグネットの磁力をコイル部材に作用させることにより当該コイル部材が設けられた可動部を駆動して当該可動部に設けられた対物レンズで上記光学ディスクの情報記録部上に光ビームを集光させる対物レンズ駆動装置と、
上記対物レンズ駆動装置が搭載されると共に非磁性体により形成されたスライドベースと、
上記スライドベースを上記光学ディスクの上記情報記録部に沿って半径方向に移動させるピックアップ移動装置と、を備え、
上記可動部には、少なくとも一の面側に第１の形態の第１のプリントコイルが形成され、他の面側に第２の形態の第２のプリントコイルが形成されてなる互いに平行に設けられた２枚のプリント基板が結合され、
上記平行に設けられる２枚のプリントコイル基板の間にマグネットが配置された構成を有し、
上記第１及び第２のプリントコイルにそれぞれ駆動電流を供給して上記対物レンズの上下方向及び／又は左右方向の駆動を行う
光情報記録及び／又は再生装置。
【請求項２３】
上記プリントコイル基板は、上記マグネットの磁力により直交する２方向に推力が発生するように巻き方を変えた２種類のプリントコイルを重ね合わせることによって形成されている
請求項２２記載の光情報記録及び／又は再生装置。
【請求項２４】
上記スライドベースは、上記対物レンズ駆動装置に電気を供給する電気回路を形成する導電体からなる回路芯材と、上記対物レンズ駆動装置が取り付けられる絶縁体からなる外装基材とを有し、
上記回路芯材の一部を露出させて上記外装基材で回路芯材を覆うことにより上記電気回路に、電気的接続のために露出された回路露出部を設けた
請求項２２記載の光情報記録及び／又は再生装置。
【請求項２５】
上記回路芯材は、外部配線に接続される１以上の端子を有し、上記外装基材は、上記端子を用いてコネクタ部を形成し、上記コネクタ部を介して外部配線と上記回路芯材を電気的に接続可能とした
請求項２４記載の光情報記録及び／又は再生装置。
【請求項２６】
上記回路芯材の上記回路露出部に、上記光ビームを光学ディスクの情報記録面に向かうように放射するレーザ光源及び上記情報記録面で反射された戻りの光ビームを受光する光検出器の少なくとも一方を、パッケージで覆うことなく実装して電気的に接続した
請求項２４記載の光情報記録及び／又は再生装置。
【請求項２７】
上記回路露出部に実装された上記レーザ光源及び／又は上記光検出器と上記回路芯材をワイヤボンディングによって接続した
請求項２６記載の光情報記録及び／又は再生装置。
【請求項２８】
上記回路露出部にはんだ接着が可能なランド部を設け、当該ランド部にコンデンサ、抵抗等の電子部品を実装した
請求項２４記載の光情報記録及び／又は再生装置。
【請求項２９】
上記ランド部の表面にはんだや金等のメッキ処理を施し、上記コンデンサ、抵抗等の電子部品を当該ランド部に実装可能とした
請求項２８記載の光情報記録及び／又は再生装置。
【請求項３０】
上記回路芯材には、はんだ接着のために当該回路芯材の一部を露出させた金属露出部を設け、上記対物レンズ駆動装置を支持する調整プレートを上記金属露出部にはんだ接着によって固定した
請求項２４記載の光情報記録及び／又は再生装置。
【請求項３１】
上記回路芯材には、はんだ接着のために当該回路芯材の一部を露出させた金属露出部を設け、上記光ビームが透過されるプリズムを覆うプリズムホルダ等の光学部品を支持するホルダを上記金属露出部にはんだ接着によって固定した
請求項２４記載の光情報記録及び／又は再生装置。
【請求項３２】
上記外装基材は、液晶ポリマー等の樹脂系材料からなる
請求項２４記載の光情報記録及び／又は再生装置。
【発明の詳細な説明】
【技術分野】
【０００１】
本発明は、対物レンズを所望の方向に移動可能な対物レンズ駆動装置、この対物レンズ駆動装置を含み光学ディスクの情報記録部に対して光ビームを集光させると共に戻りの光ビームを受光可能な光ピックアップ装置、及び、この光ピックアップ装置を含み光学ディスクを回転させると共に光ピックアップ装置を移動させて情報記録部に対して光ビームを照射させて情報の記録及び／又は再生を行う光情報記録及び／又は再生装置に関する。
【背景技術】
【０００２】
従来、一般に、光情報記録再生装置は、光学ディスクを所定速度で回転駆動するディスク回転機構と、光学ディスクの情報記録部上に光ビームを集光させる対物レンズを有する対物レンズ駆動装置と、この対物レンズ駆動装置が搭載されるスライドベースと、このスライドベースを光学ディスクの情報記録部に沿って移動させるピックアップ移動装置等を備えて構成されている。
【０００３】
従来の、この種の光情報記録再生装置に用いられる対物レンズ駆動装置としては、例えば、特開昭６３−１７７３２３号公報に記載されているようなものが知られている。この従来の対物レンズ駆動装置は、マグネットとヨークとを有する磁気回路部と、電磁コイルとを有し、磁気回路部から発生する磁束内に電磁コイルが配置されている。この電磁コイルに電流を流すことにより、マグネットの磁力によって電磁力が発生する。そこで、電磁コイル又は磁気回路部のどちらかを対物レンズ系に固定することにより、その対物レンズを駆動することができる。
【０００４】
図２２は、上述した特開昭６３−１７７３２３号公報の第１図として用いられているもので、対物レンズ駆動装置に用いられるヨーク及び基台を示す図である。図２２において、符号１は、磁性体で形成された基台を示す。基台１は、略中央部に開口穴２が設けられた板体からなり、その開口穴２の周縁の対応する２箇所には、それぞれの内縁部分を上方へ立ち上げることによって内側ヨーク３ａ，３ｂが設けられている。これら内側ヨーク３ａ，３ｂには、基台１の２箇所の外縁部分を上方へ立ち上げることによって外側ヨーク４ａ，４ｂがそれぞれ対向するように設けられている。
【０００５】
これら外側ヨーク４ａ，４ｂの内側ヨーク３ａ，３ｂと対向する面には、それぞれマグネット５ａ，５ｂが接着剤により貼着されて一体的に設けられている。各マグネット５ａ，５ｂと内側ヨーク３ａ，３ｂとの間には、所定の大きさの隙間が設定されている。これらの隙間には、図示しないが、対物レンズが支持された可動体に取り付けられた一対のコイル部材の一部が、それぞれマグネット５ａ，５ｂ及び内側ヨーク３ａ，３ｂと接触しないように挿入されている。
【０００６】
一対のコイル部材は、各内側ヨーク３ａ，３ｂの周囲を囲むように装着される一対のフォーカシング用コイルと、各フォーカシング用コイルのマグネット５ａ，５ｂ側に固着されるトラッキング用コイルとの組み合わせによって構成されている。一対のコイル部材は可動体に取り付けられており、その可動体は支持機構を介して基台１に移動可能に支持されている。この支持機構を支持するため基台１には、一対の支持ピン６ａ，６ｂが設けられている。
【０００７】
しかしながら、このような従来の対物レンズ駆動装置においては、磁性体からなる基台１に一対の内外側ヨーク３ａ，３ｂ及び４ａ，４ｂをそれぞれ対向させて設け、外側ヨーク４ａ，４ｂにマグネット５ａ，５ｂをそれぞれ固定支持すると共に、内側ヨーク３ａ，３ｂを囲うようにコイル部材を装着してマグネット５ａ，５ｂに対向させる構成となっていたため、次のような課題が生じていた。
【０００８】
即ち、基台１については、一対の内外側ヨーク３ａ，３ｂ及び４ａ，４ｂが必要とされることから、基台１の構造が複雑になっていて加工性が悪いばかりでなく、内側ヨーク３ａ，３ｂ及び外側ヨーク４ａ，４ｂの一決めを高精度に行わなければならないことから組立時の作業性が悪く、コストアップの要因になっているという課題があった。
【特許文献１】特開２００１−１２６２７８号
【特許文献２】特開平１１−２５９８８３号
【特許文献３】特開平８−１９４９６３号
【特許文献４】特開２００１−２８１３７号
【特許文献５】特開２０００−２９８８５６号
【発明の開示】
【発明が解決しようとする課題】
【０００９】
かかる点に鑑み、本発明は、構成を簡単なものとして部品点数の削減及び使用部品の生産性の向上を図ると共に、組立時の作業を容易なものとし、装置全体のコストダウンを図ることができる対物レンズ駆動装置、光ピックアップ装置及び光情報記録及び／又は再生装置を提案するものである。
【課題を解決するための手段】
【００１０】
上述したような課題等を解決し、上記目的を達成するために、本出願の対物レンズ駆動装置は、少なくとも一の面側に第１の形態の第１のプリントコイルが形成され、他の面側に第２の形態の第２のプリントコイルが形成されてなる２枚のプリントコイル基板が平行に設けられ、２枚のプリントコイル基板に対物レンズの設けられた可動部が結合されると共に、平行に設けられる２枚のプリントコイル基板の間にマグネットが配置された構成を有し、第１及び第２のプリントコイルにそれぞれ駆動電流を供給して対物レンズの上下方向及び／又は左右方向の駆動を行うことを特徴としている。
【００１１】
また、本出願の光ピックアップ装置は、少なくとも一の面側に第１の形態の第１のプリントコイルが形成され、他の面側に第２の形態の第２のプリントコイルが形成されてなる２枚のプリントコイル基板が平行に設けられ、２枚のプリントコイル基板に対物レンズの設けられた可動部が結合されると共に、平行に設けられる２枚のプリントコイル基板の間にマグネットが配置された構成を有し、対物レンズを通過された光ビームから少なくともトラッキング及びフォーカシングの誤差信号を検出し、誤差信号に基づく駆動電流を第１及び第２のプリントコイルにそれぞれ供給して、対物レンズのトラッキング方向及び／又はフォーカシング方向の制御駆動を行うことを特徴としている。
【００１２】
更に、本出願の光情報記録及び／又は再生装置は、光学ディスクを回転駆動するディスク回転装置と、マグネットの磁力をコイル部材に作用させることによりコイル部材が設けられた可動部を駆動して可動部に設けられた対物レンズで光学ディスクの情報記録部上に光ビームを集光させる対物レンズ駆動装置と、対物レンズ駆動装置が搭載されると共に非磁性体により形成されたスライドベースと、スライドベースを光学ディスクの情報記録部に沿って半径方向に移動させるピックアップ移動装置と、を備え、可動部には、少なくとも一の面側に第１の形態の第１のプリントコイルが形成され、他の面側に第２の形態の第２のプリントコイルが形成されてなる互いに平行に設けられた２枚のプリント基板が結合され、平行に設けられる２枚のプリントコイル基板の間にマグネットが配置された構成を有し、第１及び第２のプリントコイルにそれぞれ駆動電流を供給して対物レンズの上下方向及び／又は左右方向の駆動を行うことを特徴としている。
【発明の効果】
【００１３】
上述のように構成したことにより、本出願の対物レンズ駆動装置では、マグネットの両側に配置された２枚のプリントコイル基板によって２倍の推力が発生され、簡単な構成でありながら対物レンズの駆動制御を良好に行うことができる。
【００１４】
また、本出願の光ピックアップ装置では、装置全体の構成を簡単化させて部品点数を少なくすることができ、組立作業が容易であると共に、各部品の位置決め精度を高くすることができる。
【００１５】
更に、本出願の光情報記録及び／又は再生装置では、各種電子部品、電気機器の安定した固定を確保することができ、実装手段を簡略化させて装置の小型化、部品点数の削減等を図ることができる。
【発明を実施するための最良の形態】
【００１６】
以下、本発明の実施の形態を添付図面を参照して説明する。
【実施例１】
【００１７】
図１〜図８に示すように、本発明の好適な形態をなす第１の実施例として示す光ピックアップ装置２０は、ベース部材２２とカバー部材２３とで構成されたスライドベース２１と、ベース部材２２に搭載された対物レンズ駆動装置の一具体例を示す二軸アクチュエータ２４と、情報信号の記録及び／又は再生のために光ビームを放射するレーザ光源２５と、このレーザ光源２５から放射された後に光学ディスクの情報記録部（情報記録面）により反射された戻りの光ビームを受光する光検出器２６等を備えて構成されている。
【００１８】
図１及び図２に示すように、スライドベース２１のベース部材２２は、平面形状が略長方形をなすと共に１の角部において斜め側方に突出されたマウント部２２ａを有している。このベース部材２２は、導電性の金属板（例えば、銅板等）によって回路の配線形状に形成された電気回路の一部を構成する回路芯材２７ａと、この回路芯材２７ａの必要な部分を露出させて他の部分を覆う絶縁性の材料により形成された外装基材２７ｂとによって一体成形されている。
【００１９】
外装基材２７ｂの材質としては、例えば、非磁性体である樹脂系材料（例えば、液晶ポリマー等）が用いられている。しかしなら、外装基材２７ｂの材質は樹脂系材料に限定されるものではなく、磁性体でなければ金属を用いることもでき、またセラミックス等を適用することもできる。
【００２０】
このベース部材２２は、回路芯材２７ａを骨材として、これに外装基材２７ｂを肉付けするようにして製造される。例えば、回路芯材２７ａを中子のように用いて金型内にセットした後、その金型の空間部に外装基材２７ｂの材料を充填する。これにより、回路芯材２７ａに外装基材２７ｂが結合されたベース部材２２を、射出成形によって一体に成形することができる。
【００２１】
この際、回路芯材２７ａは、複数の支持片２８ａによって外部フレーム２８に連結されている。図２に示すように、外部フレーム２８は四角形の枠体をなしており、成形時において複数の支持片２８ａを介して回路芯材２７ａを支える役割を果している。また、回路芯材２７ａには、外部配線と接続するための端子となる多数の端子片２９ａを介して補助フレーム２９が接続されている。この外部フレーム２８、補助フレーム２９及び複数の支持片２８ａは、成品としてのベース部材２２には不要なものであるため、外装基材２７ｂを射出成形した後の後処理において切断して取り除くようにする。
【００２２】
図１及び図３に示すように、ベース部材２２のマウント部２２ａの先端には、上方へ盛り上げるように台座３０が設けられている。そして、台座３０には、レーサ光源２５が収納される第１の凹陥部３１ａが設けられ、また、マウント部２２ａには、光検出器２６が収納される第２の凹陥部３１ｂが設けられている。第２の凹陥部３１ｂは、マウント部２２ａの略中央部に所定の大きさで四角形の凹部として形成されている。この第２の凹陥部３１ｂの一端は台座３０にまで達しており、第２の凹陥部３１ｂ側に開口するよう第１の凹陥部３１ａが台座３０の上面に形成されている。
【００２３】
これら第１及び第２の凹陥部３１ａ，３１ｂには、回路芯材２７ａを適当な形状に露出させることによって電気回路部３２，３３が設けられている。即ち、第１の凹陥部３１ａには、レーザ光源２５が実装されるベース部と、このベース部の周囲に配された複数の端子部とを有する光源用電気回路３２が設けられている。そして、第２の凹陥部３１ｂには、光検出器２６が実装されるベース部と、このベース部の周囲に配された複数の端子部とを有する検出器用電気回路３３が設けられている。
【００２４】
レーザ光源２５は、情報信号の記録及び／又は再生のために光ビームを放射するもので、例えば、半導体レーザ（レーザダイオード）等を適用することができる。このレーザ光源２５は、図６に示すように、光ビームの放射口を水平方法に向けて光源用電気回路３２に実装されている。また、光検出器２６は、光学ディスクの情報記録面によって反射された戻りの光ビームを受けて情報信号、フォーカス誤差信号及びトラッキング誤差信号を読み取るもので、例えば、フォトダイオードＩＣ等を適用することができる。この光検出器２６は、光ビームの受光口を上方向に向けて検出器用電気回路３３に実装されている。
【００２５】
図４に示すように、光源用電気回路３２及びこれに実装されたレーザ光源２５とが、復数のワイヤボンディング３４ａによって電気的に接続されている。そして、検出器用電気回路３３及びこれに実装された光検出器２６とが、複数のワイヤボンディング３４ｂによって電気的に接続されている。光源用電気回路３２の面と検出器用電気回路３３の面との間には適当な高さの段差が設けられており、上方に設置されたレーザ光源２５から放射される光ビームが下方に設置された光検出器２６と干渉しないように考慮されている。
【００２６】
光検出器２６の上方には、レーザ光源２５から放射される光ビームを透過させると共に、戻りの光ビームを光検出器２６に導くプリズム３５が配置されている。プリズム３５は、マウント部２２ａに設けたガイド溝３６ａ内に収納されている。そして、プリズム３５の一部が光検出器２６の略全体と所定の隙間をあけて上下方向に重なり合うように配設されている。
【００２７】
プリズム３５は、直方体の長手方向一側に傾斜された反射面３５ａを有するブロック状の部材からなり、その長手方向一側の端面に第１の回折格子３５ｂが設定され、長手方向他側の端面に第２の回折格子３５ｃが設定されている。このプリズム３５の第１の回折格子３５ｂがレーザ光源２５に対向されていて、光ビームの進行方向と平行にプリズム３５の長手方向が設定されている。このプリズム３５は、マウント部２２ａに取り付けられるプリズムホルダ３７によってベース部材２２に固定されている。
【００２８】
図１及び図３に示すように、プリズムホルダ３７は、プリズム３５が嵌合される嵌合凹部３７ａを有するトンネル構造の部材からなり、そのトンネル部の両側には嵌合凹部３７ａと交差する方向に突出するフランジ部３７ｂがそれぞれ設けられている。各フランジ部３７ｂの先端には、下方に突出すると共に可撓性を有する係止爪３７ｃがそれぞれ設けられている。一対の係止爪３７ｃをマウント部２２ａの一対の爪穴３６ｂに係合させることにより、プリズムホルダ３７がベース部材２２に取り付けられている。
【００２９】
かくして、レーザ光源２５から放射された光ビームは、プリズム３５の第１の回折格子３５ｂに入射され、その内部を進行して反対側の第２の回折格子３５ｃから出射される。また、情報記録面で反射された戻りの光ビームは、再び第２の回折格子３５ｃに入射され、ここで所定角度屈折されて反射面３５ａに向かう。この光ビームは反射面３５ａで反射されて下方に向かい、プリズム３５の下面から出射されて、光検出器２６の受光部に入射される。
【００３０】
更に、ベース部材２２には、切欠き部２２ｂを設けることによって複数の端子２８ｂが露出され、また、開口穴２２ｃを設けることによって多数の端子２９ａが露出されている。そして、多数の端子２９ａに対応させて外装基材２７ｂに切欠きを設けることにより、外部配線との接続のためのコネクタ部４５が設けられている。このコネクタ部４５はＺＩＦロックタイプとして構成したが、これに限定されるものではなく、例えば、外部配線を挿入してコネクタ自身の圧力のみで固定するＮＯＮＺＩＦタイプのコネクタとして構成することもできる。
【００３１】
このような電気回路を回路芯材２７ａとして内蔵したベース部材２２は、上述したように回路芯材２７ａを中子のように用いて外装部材２７ｂと結合することにより、射出成形によって簡単且つ大量に製作することができる。従って、コネクタ部４５が一体成形されたベース部材２２を、射出成形の１工程によって容易に作ることができる。
【００３２】
また、図１及び図３に示すように、ベース部材２２の上面には、対物レンズ駆動装置の一具体例を示す二軸アクチュエータ２４が搭載されて一体的に構成されている。この二軸アクチュエータ２４は、調整プレート３８に固定される支持部材３９と、この支持部材３９に一端側が固定された４本の支持ワイヤ４０と、これら４本の支持ワイヤ４０によって弾性支持された二軸可動部４１等から構成されている。
【００３３】
支持部材３９は絶縁材料で形成されており、固定ネジ等の固着手段によって調整プレート３８に固定されている。調整プレート３８は、ベース部材２２に対して上下方向へ高さ調整可能とされている。この調整プレート３８でベース部材２２の上方への突出量を調整することにより、二軸アクチュエータ２４の高さを調整することができる。この調整プレート３８は、接着剤や溶接その他の固着手段によってベース部材２２に固定される。
【００３４】
支持部材３９に各一端が固定された４本の支持ワイヤ４０は、適当な弾性を有する導電性材料によって形成されている。更に、４本の支持ワイヤ４０は、上下及び左右にそれぞれ対称をなすよう平行に配置されており、これらの先端に二軸可動部４１が固定されている。二軸可動部４１は、絶縁性材料によって形成されたレンズホルダ４２と、このレンズホルダ４２に支持固定された２枚で一対をなすプリントコイル基板４３ａ，４３ｂと、同じくレンズホルダ４２に固定された対物レンズ４４等を備えて構成されている。
【００３５】
図３及び図６に示すように、二軸可動部４１のレンズホルダ４２は、対物レンズ４４が固定されるホルダ部４２ａと、このホルダ部４２ａと重量バランスを取るためのバランス部４２ｂと、ホルダ部４２ａ及びバランス部４２ｂ間を所定の隙間をあけて連結する左右の連結壁部４２ｃ，４２ｃとを有している。
【００３６】
レンズホルダ４２のホルダ部４２ａは、庇のように側方に張り出した張出部を有し、この張出部に設けられた貫通穴の上部に対物レンズ４４が嵌合され、接着剤等の固着手段により固定されて一体的に構成されている。更に、レンズホルダ４２のバランス部４２ｂの内側に第１のプリントコイル基板４３ａが取り付けられ、ホルダ部４２ａの内側に第２のプリントコイル基板４３ｂが取り付けられている。
【００３７】
図９〜図１１に示すように、２枚のプリントコイル基板４３ａ，４３ｂは、プリントコイルの巻き方を対称とした略同一形状及び構造を有するものであって、それぞれ２種類のプリントコイルを重ね合わせて貼り付けるようにして構成されている。ここで、図９において、表側とあるのは、図示のプリントコイルが基板の手前側に形成されているものであり、裏側とあるのは、プリントコイルが基板の向こう側に形成されているものである。
【００３８】
一対のプリントコイル基板４３ａ，４３ｂには、その表側（後述するマグネット４６に近い側）には、図９Ａに示すように、上下に分割してそれぞれ巻回するように形成された横長のフォーカス用プリントコイル２００ａ，２００ｂ及び２０１ａ，２０１ｂが設けられている。そして、各プリントコイル基板４３ａ，４３ｂの裏側（マグネット４６から遠い側）には、図９Ｂに示すように、左右に分割してそれぞれ巻回するように形成された若干縦長とされたトラッキング用プリントコイル２０２ａ，２０２ｂ及び２０３ａ，２０３ｂが設けられている。
【００３９】
図１０には、マグネット４６の両側に配置される一対のプリントコイル基板４３ａ，４３ｂに設けられるフォーカス用プリントコイル２００ａ，２００ｂ及び２０１ａ，２０１ｂの一実施例が示されている。図１０において、マグネット４６の向こう側に配置されるプリントコイル基板（第１のプリントコイル基板）４３ａの表側には、例えば、時計回りに外側から内側に向かって巻回するように形成された上側のプリントコイル２００ａと、反時計回りに内側から外側に向かって巻回するように形成された下側のプリントコイル２０１ａとが設けられている。
【００４０】
また、マグネット４６の手前側に配置されるプリントコイル基板（第２のプリントコイル基板）４３ｂの表側には、例えば、時計回りに外側から内側に向かって巻回するように形成された上側のプリントコイル２００ｂと、反時計回りに内側から外側に向かって巻回するように形成された下側のプリントコイル２０１ｂとが設けられている。尚、図１０は透視図であるため、第２のプリントコイル基板４３ｂの実際のプリントコイル２００ｂ，２０２ｂを正面から見た場合には、時計及び反時計の方向については、図示と逆向きに巻回するように形成されるものである。
【００４１】
更に、図１０に示すように、一対のプリントコイル基板４３ａ，４３ｂのそれぞれ表側の左右の端部には、それぞれ３個ずつ合計６個の接続部２０４ａ，２０５ａ，２０６ａ，２０７ａ，２０８ａ，２０９ａが設けられている。第１のプリントコイル基板４３ａの左上部の接続部２０４ａは、上側のプリントコイル２００ａの外周縁に接続されている。ここから上側のプリントコイル２００ａが時計回りに内側に向かって巻回され、その内周縁が上側の第１のスルーホール２１１ａに接続されている。
【００４２】
第１のスルーホール２１１ａは、第１のプリントコイル基板４３ａを貫通して裏側で下側の第２のスルーホール２１１ｂに接続されている。そして、第２のスルーホール２１１ｂは、下側のプリントコイル２０１ａの内周縁に接続されている。ここから下側のプリントコイル２０１ａが反時計回りに外側に向かって巻回され、その外周縁が右中部の接続部２０８ａに接続されている。
【００４３】
第２のプリントコイル基板４３ｂの右中部の接続部２０８ａは、上側のプリントコイル２００ｂの外周縁に接続されている。ここから上側のプリントコイル２００ｂが時計回りに内側に向かって巻回され、その内周縁が上側の第３のスルーホール２１１ｃに接続されている。
【００４４】
第３のスルーホール２１１ｃは、第２のプリントコイル基板４３ｂを貫通して裏側で下側の第４のスルーホール２１１ｄに接続されている。そして、第４のスルーホール２１１ｄは、下側のプリントコイル２０１ｂの内周縁に接続されている。ここから下側のプリントコイル２０１ｂが反時計回りに外側に向かって巻回され、その外周縁が左下部の接続部２０６ａに接続されている。
【００４５】
また、図１１に示すように、一対のプリントコイル基板４３ａ，４３ｂのそれぞれ裏側の左右の端部には、それぞれ３個ずつ合計６個の接続部２０４ｂ，２０５ｂ，２０６ｂ，２０７ｂ，２０８ｂ，２０９ｂが設けられている。第１のプリントコイル基板４３ａの右上部の接続部２０７ｂは、右側のプリントコイル２０２ａの外周縁に接続されている。ここから右側のプリントコイル２０２ａが反時計回りに内側に向かって巻回され、その内周縁が右側の第５のスルーホール２１２ａに接続されている。
【００４６】
第５のスルーホール２１２ａは、第１のプリントコイル基板４３ａを貫通して裏側で左側の第６のスルーホール２１２ｂに接続されている。そして、第６のスルーホール２１２ｂは、左側のプリントコイル２０３ａの内周縁に接続されている。ここから左側のプリントコイル２０３ａが時計回りに外側に向かって巻回され、その外周縁が左中部の接続部２０５ｂに接続されている。
【００４７】
第２のプリントコイル基板４３ｂの左中部の接続部２０５ｂは、左側のプリントコイル２０３ｂの外周縁に接続されている。ここから左側のプリントコイル２０３ｂが時計回りに内側に向かって巻回され、その内周縁が左側の第７のスルーホール２１２ｃに接続されている。
【００４８】
第７のスルーホール２１２ｃは、第２のプリントコイル基板４３ｂを貫通して裏側で右側の第８のスルーホール２１２ｄに接続されている。そして、第８のスルーホール２１２ｄは、右側のプリントコイル２０２ｂの内周縁に接続されている。ここから右側のプリントコイル２０２ｂが反時計回りに外側に向かって巻回され、その外周縁が右下部の接続部２０９ｂに接続されている。
【００４９】
このような構成を有する２枚のプリントコイル基板４３ａ，４３ｂが、図６及び図７等に示すように、互いに所定の隙間をあけて平行をなすように配置されてレンズホルダ４２に固定されている。そして、４本の支持ワイヤ４０ａ，４０ｂ，４０ｃ，４０ｄの各端部と２本の導電材からなる結線用ワイヤ２１４ａ，２１４ｂが、２枚のプリントコイル基板４３ａ，４３ｂの接続部２０４ａ〜２０９ａ及び２０４ｂ〜２０９ｂにそれぞれ接続されている。
【００５０】
即ち、図１０に示すように、第１の支持ワイヤ４０ａは、第２のプリントコイル基板４３ｂの左上部の接続部２０４ａを貫通して第１のプリントコイル基板４３ａの左上部の接続部２０４ａに接続されている。第２の支持ワイヤ４０ｂは、第２のプリントコイル基板４３ｂの左下部の接続部２０６ａに接続されている。そして、第１の結線用ワイヤ２１４ａの一端が第１のプリントコイル基板４３ａの右中部の接続部２０８ａに接続され、その他端が第２のプリントコイル基板４３ｂの右中部の接続部２０８ａに接続されている。
【００５１】
また、図１１に示すように、第３の支持ワイヤ４０ｃは、第２のプリントコイル基板４３ｂの右上部の接続部２０７ｂを貫通して第１のプリントコイル基板４３ａの右上部の接続部２０７ｂに接続されている。第４の支持ワイヤ４０ｄは、第２のプリントコイル基板４３ｂの右下部の接続部２０９ｂに接続されている。そして、第２の結線用ワイヤ２１４ｂの一端が第１のプリントコイル基板４３ａの左中部の接続部２０５ｂに接続され、その他端が第２のプリントコイル基板４３ｂの左中部の接続部２０５ｂに接続されている。
【００５２】
４本の支持ワイヤ４０ａ〜４０ｄの各他端は、ブロック状の支持部材３９よりも若干端部を延ばして設けられている。尚、支持ワイヤ４０ａ〜４０ｄ及び結線用ワイヤ２１４ａ，２１４ｂは、プリントコイル基板４３ａ，４３ｂの接続部２０４ａ〜２０９ａ及び２０４ｂ〜２０９ｂに対してハンダ等の接合手段によって接続されている。
【００５３】
これら支持ワイヤ４０ａ〜４０ｄの各他端には、フレキシブル配線基板の配線パターンが接続されている。このフレキシブル配線基板の配線パターンは、スライドベース２１に直接設けられた配線パターンに接続されている。そして、配線パターンの一部は、ベース部材２２上に所定形状に配線されており、その一部が１箇所に纏められてコネクタ部４５に集められている。
【００５４】
尚、この実施例においては、２枚のプリントコイル基板４３ａ，４３ｂをレンズホルダ４２に接着剤で貼り付ける構成としたが、これに限定されるものではなく、例えば、レンズホルダ４２を射出成形する際に、２色成形等の手法を用いて一体成形するようにしても良い。
【００５５】
２枚のプリントコイル基板４３ａ，４３ｂの間には、図６及び図７に示すように、各プリントコイルとの間に所定の隙間をあけてマグネット４６を介在させるように設ける。マグネット４６は、１極着磁された直方体からなり、例えば、第１のプリントコイル基板４３ａの表側にＮ極又はＳ極を対向させ、第２のプリントコイル基板４３ｂの表側に反対側と異なる極を対向させて配置する。しかしながら、コイルの使用によりマグネット４６に２極着磁したものを使用し、プリントコイル基板４３ａ，４３ｂに同極を対向させて配置しても良いことは勿論である。
【００５６】
このマグネット４６を所定位置において所定高さに支持固定するため、ベース部材２２には上方に突出する支持台４７が設けられている。この支持台４７には、他の部品を介することなく、マグネット４６直接載置させて固定するようにする。そして、第１及び第２のプリントコイル基板４３ａ，４３ｂの各プリントコイルの面と、これに対向するマグネット４６の各対向面とは、それぞれ平行か又は略平行となるように構成する。
【００５７】
更に、支持台４７には、マグネット４６を挟持する一対の挟持片４７ａ，４７ａが設けられている。この挟持片４７ａ，４７ａ間にマグネット４６を嵌合させて支持台４７上に載置させることにより、マグネット４６の上記平行する方向の位置決めを行うことができる。このマグネット４６を支持台４７に固定する手段は、一対の挟持片４７ａによる挟持力のみとしても良いが、接着剤を用いてマグネット４６を支持台４７上に固定することが好ましい。
【００５８】
このように、マグネット４６をベース部材２２上に直接固定することにより、従来のヨークに当たる部品の使用を廃止して部品点数を減らすことができる。しかも、ベース部材２２の材質を非磁性体である樹脂系材料等で構成することにより、一層のコストダウンを図ることができる。また、マグネット４６の取り付けは、これを一対の挟持片４７ａに係合させるように支持台４７上に載置させるだけでよいため、組立作業を極めて容易にすることができると共に、より精度の高い位置決めを行うことができる。
【００５９】
このマグネット４６に対して２枚のプリントコイル基板４３ａ，４３ｂは、それぞれのプリントコイル２００ａ，２０１ａ，２０２ａ及び２０３ａ（又は２００ｂ，２０１ｂ，２０２ｂ及び２０３ｂ）により発生される合推力点がマグネット４６の中心と略同一となるように略対称の位置に、それぞれ平行に設置される。
【００６０】
また、光軸が上下方向に設定されている対物レンズ４４の下方には、入射された光ビームを反射してその進行方向を変更させる反射ミラー４８が配置されている。反射ミラー４８は、ベース部材２２に設けたミラー受け台４９の傾斜面に固定されている。このミラー受け台４９の傾斜面によって反射ミラー４８の反射面が、水平面と略４５度をなす傾斜面に設定されている。この反射ミラー４８の反射面の中心を、レーザ光源２５から出射される光ビームの光軸の中心と一致させるか又は略一致させるように構成する。
【００６１】
かくして、プリズム３５を透過して水平に進む光ビームが反射ミラー４８に到達すると、その光ビームは反射面で直角に９０°曲げられて上方に進行し、対物レンズ４４を透過する。そして、対物レンズ４４で絞られて光ディスク５０の情報記録面に照射される。また、情報記録面で反射された光ビームは、再び対物レンズ４４を透過して下方に進行する。この戻り光ビームが反射ミラー４８に到達すると、反射面で９０°曲げられた後、対物レンズ４４の光軸と直交する水平方向に進行する。
【００６２】
この二軸アクチュエータ２４によれば、４本の支持ワイヤ４０ａ〜４０ｄ間に流される電流に応じて、一対のプリントコイル基板４３ａ，４３ｂが固定されたレンズホルダ４２に、上下又は左右方向の推力を自在に発生させることができる。その結果、これら推力の発生により、一対のプリントコイル基板４３ａ，４３ｂと対物レンズ４４とレンズホルダ４２とを有する二軸可動部４１が、互いに直交する２方向に移動され、対物レンズ４４を透過する光ビームによるフォーカシング及び／又はトラッキングの制御駆動が実行される。
【００６３】
このような構成を有する二軸アクチュエータ２４が搭載されたベース部材２２には、ガイド軸による案内を受けると共に二軸アクチュエータ２４の防塵を図る等を目的とするカバー部材２３が装着される。このカバー部材２３は、ベース部材２２に装着された状態で固定ネジ等の固着手段により締付固定されて一体化され、これによりスライドベース２１が構成されている。
【００６４】
図１及び図５等に示すように、カバー部材２３は、ベース部材２２の上面を覆う上面部２３ａと、この上面部２３ａの周囲を囲う側面部２３ｂとを有し、下面に開孔した蓋状の部材とされている。従って、カバー部材２３の上面部２３ａはベース部材２２の平面形状を若干拡大した略相似形をなしており、その長手方向の一側には主軸受５２が設けられ、長手方向の他側には副軸受５３が設けられている。
【００６５】
カバー部材２３の主軸受５２は、上面部２３ａの幅方向に所定の間隔をあけて対向された２つの軸受部を有し、各軸受部には軸心線を共通にする軸受穴５２ａが設けられている。この軸受穴５２ａには、後述する第１のガイド軸が摺動可能に挿通される。また、副軸受５３には側方に開口された軸受溝５３ａが設けられており、この軸受溝５３ａには、後述する第２のガイド軸が摺動可能に係合される。軸受溝５３ａの底面には、第２のガイド軸との間のガタを少なくすると共に摺動時の摩擦抵抗を軽減させるためのガイド凸部５４が設けられている。
【００６６】
更に、カバー部材２３の上面部２３ａの略中央部には、二軸アクチュエータ２４の対物レンズ４４を露出させるための開口窓５５と、一対のプリントコイル基板４３ａ，４３ｂの上下運動を許容するための２つの開口溝５６ａ，５６ｂが設けられている。そして、上面部２３ａの内面において、二軸アクチュエータ２４の上方には、図６に示すように、二軸可動部４１との干渉を避けるための第１の逃げ凹部５７ａと、支持部材３９との干渉を避けるための第２の逃げ凹部５７ｂと、プリズムホルダ３７との干渉を避けるための第３の逃げ凹部５７ｃとが設けられている。
【００６７】
上述したようにベース部材２２とカバー部材２３は、図８に示すように、固着手段の一具体例を示す固定ネジ７０によって着脱可能に締付固定されている。そのため、ベース部材２２には、図３等に示すように、外装基材２７ｂの３箇所に上下方向に貫通する挿通穴６８が設けられている。これに対応してカバー部材２３には、図５に示すように、ベース部材２２の挿通穴６８と一致する３箇所にネジ穴６９が設けられている。
【００６８】
このカバー部材２３にベース部材２２を嵌合させて装着した後、各挿通穴６８にネジ軸を挿通して先部をネジ穴６９に螺合させる、固定ネジ７０を締め込むことにより、図８等に示すように、３本の固定ネジ７０によってスライドベース２１が一体的に構成される。
【００６９】
このようなスライドベース２１のベース部材２２の裏面には複数のリブ７１が設けられており、これらのリブ７１によってベース部材２２が補強されている。更に、ベース部材２２の裏面には、回路芯材２７ａの一部を露出させることによって複数の金属露出部７２ａ，７２ｂ及び回路露出部７３ａ，７３ｂ，７３ｃが形成されている。金属露出部７２ａ，７２ｂは、電気回路を構成することを目的とするものではなく、部品を支持又は固定することを目的とするものである。一方、回路露出部７３ａ〜７３ｃは、電気回路の一部として構成されているものである。
【００７０】
一対の第１の金属露出部７２ａ，７２ａには貫通穴７４がそれぞれ設けられており、これらの貫通穴７４には調整プレート３８の一対の脚片がそれぞれ挿入されている。一対の脚片は第１の金属露出部７２ａとハンダ接着により接合され、これにより調整プレート３８がベース部材２２に固定されている。また、一対の第２の金属露出部７２ｂには爪穴２２ｄがそれぞれ設けられており、これらの爪穴２２ｄにはプリズムホルダ３７の一対の係止爪３７ｃがそれぞれ挿通されている。そして、一対の係止爪３７ｃは第２の金属露出部７２ｂとハンダ接着により接合され、これによりプリズムホルダ３７がベース部材２２に取り付けられている。
【００７１】
また、電気回路の一部をなす第１の回路露出部７３ａには、複数のコンデンサ７５ａがはんだ接着により実装されている。同様に、電気回路の一部をなす第２の回路露出部７３ｂには、可変抵抗７５ｂがはんだ接着により実装されている。この第１及び第２の回路露出部７３ａ，７３ｂの表面には、はんだメッキ又は金メッキ等のメッキ処理を施すことが好ましい（金属露出部７２ａ，７２ｂにメッキ処理を施すようにしてもよい。）。このようなメッキ処理を施すことにより、比較的低い温度によっても導電体の接合が可能となるため、コンデンサや抵抗等のように高温度に比較的弱いチップ部品であっても、これを容易にはんだ付けして電気回路に実装することができる。
【００７２】
第３の回路露出部７３ｃは、レーザ光源２５としての半導体レーザの静電破壊を防ぐためのものである。この第３の回路露出部７３ｃの一方の金属露出部をグランドＧＮＤ、他方の金属露出部をランドＬＤとすることにより、半導体レーザの静電破壊を防止するショートランドの機能を果たすことができる。
【００７３】
このような回路芯材２７ａと外装基材２７ｂとからなるベース部材２２によれば、フレキシブルフラットケーブル（ＦＦケーブル）を全く使用しなくても、コンデンサや抵抗等の電子部品を直にベース部材２２に実装することができるため、光ピックアップ装置２０の小型化、軽量化を図ることができる。しかも、電気的接続を目的としない光学部品や対物レンズ駆動装置等を、ベース部材２２に対して機械的に固定する手段としてはんだ接着を用いることができるため、ベース部材２２への光学部品等の固定を簡単且つ確実に行うことができる。
【００７４】
このような構成を有する光ピックアップ装置２０による情報信号の記録及び／又は再生動作は、例えば、次のようにして行われる。図６に示すように、レーザ光源２５から放射された光ビームは、水平方向に進行してプリズム３５の第１の回折格子３５ｂから入射され、この第１の回折格子３５ｂで３つの光束に分割されて水平方向に進行する。そして、プリズム３５を透過して第２の回折格子３５ｃ側から出射され、反射ミラー４８に入射される。反射ミラー４８に入射された光ビームは、反射面で上方に反射されて進路が９０°変更され、上方に対向された対物レンズ４４に入射されて絞られる。
【００７５】
対物レンズ４４で絞られた光ビームは、その上方に配置される光ディスク５０の情報記録面に照射され、その表面で反射されて逆戻りされる。即ち、情報記録面で反射された光ビームは、いま来た光路を逆戻りし、下方に進行して対物レンズ４４を透過する。この対物レンズ４４を透過した光ビームは、反射ミラー４８で９０°方向が変換されて水平方向に進行し、プリズム３５の第２の回折格子３５ｃから入射される。このプリズム３５に入射された戻りの光ビームは、第２の回折格子３５ｃによって上方に少々屈折され、反射面３５ａで反射される。この反射面３５ａで反射された光ビームは、進行方向が下方に変更され、プリズム３５の下面から出射されて光検出器２６の受光部に入射される。
【００７６】
このようにしてレーザ光源２５から出射されて光検出器２６に入射される光ビームの状態を読むことにより、情報記録面に予め記録されている情報信号を読み取る（再生）ことができると共に、その読み取り時に生じるフォーカス誤差信号及びトラッキング誤差信号を同時に読み取ることができる。また、レーザ光源２５から高出力の光ビームを放射することにより、その光ビームを用いて情報記録面に新たな情報信号を書き込む（記録）ことができる。
【００７７】
上述したような構成を有する光ピックアップ装置２０は、例えば、図１４に示すような構成を備えた光情報記録及び／又は再生装置の一具体例を示すディスク記録再生装置８０に用いることができる。このディスク記録再生装置８０は、光ディスクをチャッキングして所定速度（例えば、線速度一定）で回転駆動するディスク回転装置８１と、このディスク回転装置８１に装着されて回転駆動される光ディスクの情報記録面に対して情報信号の記録（書込み）及び再生（読出し）を行う上述した光ピックップ装置２０と、この光ピックップ装置２０をディスク回転装置８１に対して接近又は離反するように進退動作させるピックアップ移動装置８２と、これらのそうちが搭載されたシャーシ８３等を備えて構成されている。
【００７８】
尚、光学ディスクとしては、例えば、オーディオ情報としての音楽信号やビデオ情報としての映像信号及び音楽信号等の情報信号が予め記憶された再生専用型の光ディスク、音楽信号や映像信号等の情報信号が１度だけ記録可能な光ディスク（追記型）、或いは何度でも繰り返して記録可能な光ディスク（書換え型）等のように各種の光ディスクを適用することができる。更に、光学ディスクとしては、これらの光ディスクに限定されるものではなく、例えば、薄い円盤の表面に磁性薄膜層を形成し、この磁性薄膜層に光ヘッドと磁気ヘッドを用いて情報を書き込み又は読み出すようにした光磁気ディスクその他のディスク状をなす記憶媒体を用いることができるものである。
【００７９】
ディスク記録再生装置８０のシャーシ８３は、略長方形等の平面形状を有しており、その周縁を連続させて上方へ立ち上げることによって補強用の周縁壁８３ａが設けられている。そして、周縁壁８３ａの４箇所には、このシャーシ８３を、例えばＣＤ（コンパクトディスク）プレーヤやＤＶＤ（デジタルバーチャルディスク）プレーヤ等の電子機器に装着するための支持突起８３ｂが設けられている。
【００８０】
このシャーシ８３の略中央部には第１の開口部８４ａが設けられ、また、先端側には第２の開口部８４ｂが設けられている。更に、シャーシ８３の第１の開口部８４ａと第２の開口部８４ｂとの間にはディスク回転装置８１が設置され、また、第１の開口部８４ａを跨ぐようにして光ピックアップ装置２０が配設されている。そして、光ピックアップ装置２０の一側にピックアップ移動装置８２が配設されている。
【００８１】
ディスク回転装置８１は、モータベース板８５と、このモータベース板８５に固定されたスピンドルモータ８６と、このスピンドルモータ８６の回転部に一体に設けられたターンテーブル８７等を備えて構成されている。スピンドルモータ８６は、薄い板金製のモータベース板８５上に取り付けられており、このモータベース板８５が固定ネジ等の固着手段によってシャーシ８３に固定されている。このモータベース板８５の上面にはＦＦケーブル８８の一側が接着剤等の固着手段によって固定されている。
【００８２】
スピンドルモータ８６は、モータベース板８５に固定される固定部と、この固定部によって回転自在に支持される回転部とを有し、回転部の回転中心となる回転軸にターンテーブル８７が一体的に設けられている。ターンテーブル８７は、光ディスクのセンタ穴に嵌合される嵌合部と、この嵌合部の下部に連続すると共に光ディスクのセンタ穴の周縁部が載置される載置部等を有している。そして、嵌合部の内部に、図示しないチャックリングを吸着するマグネットが内蔵されている。このマグネットでチャックリングを吸着し、そのチャックリングと載置部とで光ディスクのセンタ穴の周縁部を挟持することにより、光ディスクがチャッキングされてターンテーブル８７と一体的に回転可能な状態となる。
【００８３】
また、ピックアップ移動装置８２は、光ピックアップ装置２０の移動をガイドする一対のガイド軸９０ａ，９０ｂと、光ピックアップ装置２０を進退移動させる送りねじ駆動装置９１等を備えて構成されている。一対のガイド軸９０ａ，９０ｂは、スピンドルモータ８６を両側から挟むような位置において、互いに平行となるように配置されている。各ガイド軸９０ａ，９０ｂは、外周面が平滑とされた丸棒状の部材によって形成されている。
【００８４】
第１のガイド軸９０ａは、光ピックアップ装置２０のスライドベース２１の一部をなすカバー部材２３に設けた主軸受５２の軸受穴５２ａを摺動自在に貫通していると共に、その両端部が調整プレート９２によって両端支持されている。また、第２のガイド軸９０ｂは、カバー部材２３に設けた副軸受５３の軸受溝５３ａを摺動自在に貫通していると共に、その両端部がシャーシ８３によって両端支持されている。調整プレート９２は、シャーシ８３に対して姿勢変更可能に取り付けられており、この調整プレート９２の姿勢を変更することによって一対のガイド軸９０ａ，９０ｂ間の平行度が調整可能とされている。
【００８５】
更に、一対のガイド軸９０ａ，９０ｂのうち第１のガイド軸９０ａは、調整プレート９２に設けた一対の軸支持片９３ａ，９３ａによって支持されている。各軸支持片９３ａには、軸押え片９３ｂが対をなすように設けられている。この軸押え片９３ｂを固定ネジ９３ｃでネジ止めすることにより、第１のガイド軸９０ａの各端部が軸支持片９３ａにそれぞれ固定されている。また、第２のガイド軸９０ｂは、シャーシ８３に設けた一対の軸支持片９４ａ，９４ａによって支持されている。各軸支持片９４ａには、軸押え片９４ｂが対をなすように設けられている。この軸押え片９４ｂを固定ネジ９４ｃでネジ止めすることにより、第２のガイド軸９０ｂがシャーシ８３に両端支持されている。
【００８６】
また、調整プレート９２には、送りねじ駆動装置９１が取り付けられている。送りねじ駆動装置９１は、図１５に拡大して示すように、送りねじ９５と送りモータ９６と支持プレート９７と動力伝達部材９８等を備えて構成されている。送りねじ９５は、ガイド軸９０ａ，９０ｂよりも少し短い丸棒の外周面に、螺旋状に延在された１条のねじ溝９５ａを軸方向の略全長に渡って設けることにより形成されている。この送りねじ９５は、駆動源である送りモータ９６の回転軸を兼ねており、直接回転駆動される。
【００８７】
次に、上述したディスク記録再生装置８０を駆動制御する回路構成について説明する。図１６は、この実施例に係るディスク記録再生装置８０の回路構成の一具体例を示すもので、情報信号の記録（書込み）と再生（読出し）の両方を可能とした装置のブロック説明図である。
【００８８】
図１６において、符号１１０は、スピンドルモータ８６及び送りモータ９６の回転を駆動制御するシステム制御装置である。このシステム制御装置１１０は、光ピックアップ装置２０をサーボ制御するサーボ回路１１１との間で信号のやり取りが可能なように接続されている。システム制御装置１１０には、電源スイッチや各種の操作ボタン等が設けられた操作パネル１１２が接続されている。また、光ピックアップ装置２０には光ビームの駆動検出回路１１３が接続されており、この駆動検出回路１１３の出力がシステム制御装置１１０及びサーボ回路１１１に供給される。更に、駆動検出回路１１３には、入力端子１１４及び出力端子１１５が接続された記録再生回路１１６が接続されている。
【００８９】
このような構成を備えたディスク記録再生装置８０によれば、例えば、次のようにして、光ディスク５０に対する情報信号の記録及び／又は再生が行われる。まず、ユーザーが操作パネル１１２を操作することにより、その操作情報がシステム制御装置１１０に入力され、その操作情報に基づいてシステム制御装置１１０から制御信号がスピンドルモータ８６、送りモータ９６及びサーボ回路１１１に出力される。
【００９０】
システム制御装置１１０からの制御信号がスピンドルモータ８６に供給されると、このスピンドルモータ８６が、例えば、線速度が一定となるように回転駆動される。また、システム制御装置１１０からの制御信号によって送りモータ９６が、駆動され、この送りモータ９６の駆動により、光ビームが光ディスク５０の情報記録面における所望の位置に照射されるように光ピックアップ装置２０の移動が行われる。
【００９１】
そして、例えば、入力端子１１４からの情報信号が記録再生回路１１６を通じて光ビームの駆動検出回路１１３に供給される。この駆動検出回路１１３からの信号に従って光ピックアップ装置２０での光ビームの出力が制御されることにより、光ディスク５０の情報記録面に対して入力端子１１４からの情報信号の記録が行われる。また、光ディスク５０の情報記録面に予め記録された情報信号が駆動検出回路１１３によって検出され、この検出された情報信号が記録再生回路１１６を通じて出力端子１１５に取り出される。
【００９２】
これと共に、駆動検出回路１１３では光ビームのトラッキング用誤差信号とフォーカシング用誤差信号が検出され、これらの誤差信号がサーボ回路１１１に供給される。これにより、サーボ回路１１１から光ピックアップ装置２０に制御信号が供給され、上述した二軸アクチュエータ２４によるトラッキング及び／又はフォーカシングの各制御駆動が行われる。また、操作パネル１１２からの操作信号がシステム制御装置１１０に供給されることにより、所望の記録位置や再生位置への光ピックアップ装置２０の移動、その他の制御が行われる。そして、二軸アクチュエータ２４を含む光ピックアップ装置２０からの光ビームが光ディスク５０の情報記録面に照射されることにより、情報信号の記録及び再生が行われる。
【００９３】
尚、本実施例の二軸アクチュエータ２４において、上述したように２枚のプリントコイル基板４３ａ，４３ｂを用いたことにより、従来型の巻線コイルでは成し得なかった制御駆動が可能となった。この点について、図１２Ａ，Ｂを参照して説明する。
【００９４】
図１２Ｂに示すような従来型の巻線コイル１２０では、例えば、磁束Ｂの方向を左向きとすると、マグネット１２１の一面側とこれと反対の他面側とでは電流Ｉの方向が逆向きとなるため、巻線コイル１２０には、その半周部毎に逆向きの推力Ｆが発生する。この逆向きの推力Ｆは、互いに相殺させることができないために、フォーカシング及び／トラッキングの制御駆動には巻線コイル１２０を採用することができなかった。
【００９５】
これに対して、本実施例の二軸アクチュエータ２４では、図１２Ａに示すように、プリントコイルの巻線方向を変えることによってマグネットの一面側とこれと反対の他面側とで電流がの流れる方向を同一方向に設定することができた。その結果、マグネット４６の向こう側と手前側とに発生する推力Ｆを同じ方向に揃えることができ、従って、２枚のプリントコイル基板４３ａ，４３ｂを用いたことにより、上述したようにフォーカシング及びトラッキングの制御駆動が可能となったものである。
【００９６】
図１３には、２枚のプリントコイル基板の他の実施の形態を示す。図１３において、同図Ｂは、マグネット４６の向こう側に配置される第１のプリントコイル基板２２０ａのマグネット側に形成されるフォーカス用プリントコイル２２１ａを示している。更に、同図Ａは、マグネット側と反対の表側に形成される４個のトラッキング用プリントコイル２２３ａ，２２４ａ，２２５ａ，２２６ａを示している。これら４個のトラッキング用プリントコイル２２３ａ〜２２６ａは、左右及び上下に４分割されて形成されている。
【００９７】
また、図１３Ｃは、マグネット４６の手前側に配置される第２のプリントコイル基板２２０ｂのマグネット側に形成されるフォーカス用プリントコイル２２１ｂを示している。更に、同図Ｄは、そのマグネット側と反対の表側に形成される４個のトラッキング用プリントコイル２２３ｂ，２２４ｂ，２２５ｂ，２２６ｂを示している。これら４個のトラッキング用プリントコイル２２３ｂ〜２２６ｂは、左右及び上下に４分割されて形成されている。そして、これらのプリントコイルに対して２個のマグネット４６ａ，４６ｂが、そのＮ極及びＳ極を図示のように設定して配置されている。
【００９８】
これら第１及び第２のプリントコイル基板２２０ａ，２２０ｂが上述した４本の支持ワイヤ４０ａ〜４０ｄによって同様に支持され、その４本の支持ワイヤ４０ａ〜４０ｄを介して駆動電流が供給される。例えば、第１の支持ワイヤ４０ａが、一対のプリントコイル基板２２０ａ，２２０ｂの左上部の接続部２０４ａに接続される。第２の支持ワイヤ４０ｂは、一対のプリントコイル基板２２０ａ，２２０ｂの左下部の接続部２０６ｂに接続される。更に、第３の支持ワイヤ４０ｃは、一対のプリントコイル基板２２０ａ，２２０ｂの右上部の接続部２０７ａに接続される。そして、第４の支持ワイヤ４０ｄは、一対のプリントコイル基板２２０ａ，２２０ｂの右下部の接続部２０９ｂに接続される。
【００９９】
また、第１の支持ワイヤ４０ａの接続される左上部の接続部２０４ａは、図１３Ａ，Ｄに示すトラッキング用プリントコイルの左上側のプリントコイル２２３ａ，２２３ｂの外周端に接続される。ここからプリントコイル２２３ａ，２２３ｂは、時計回りに内側に向かって巻回するように形成される。そして、このプリントコイル２２３ａ，２２３ｂの内周端は、プリントコイル基板２２０ａ，２２０ｂを貫通されて裏側で左下部のプリントコイル２２４ａ，２２４ｂの内周端に接続される。
【０１００】
ここからプリントコイル２２４ａ，２２４ｂは、反時計回りに外側に向かって巻回するように形成される。更に、このプリントコイル２２４ａ，２２４ｂの外周端が、右下側のプリントコイル２２６ａ，２２６ｂの外周端に接続される。ここからプリントコイル２２６ａ，２２６ｂは時計回りに内側に向かって巻回するように形成される。そして、このプリントコイル２２６ａ，２２６ｂの内周端が、プリントコイル基板２２０ａ，２２０ｂを貫通されて裏側で右上側のプリントコイル２２５ａ，２２５ｂの内周端に接続される。
【０１０１】
ここからプリントコイル２２５ａ，２２５ｂは、反時計方向に外側に向かって巻回するように形成される。そして、このプリントコイル２２５ａ，２２５ｂの外周端が、第３の支持ワイヤ４０ｃに接続される右上部の接続部２０７ａに接続される。これにより、各プリントコイル基板２２０ａ，２２０ｂに形成されたそれぞれのプリントコイル２２３ａ〜２２６ｄの直列回路と、プリントコイル２２３ｂ〜２２６ｂの直列回路とが並列に設けられることになる。
【０１０２】
そして、例えば、第１の支持ワイヤ４０ａから第３の支持ワイヤ４０ｃに向かって電流を流すことにより、その電流がプリントコイル２２３ａ，２２６ａ及び２２３ｂ，２２６ｂを時計回りに流れ、プリントコイル２２４ａ，２２５ａ及び２２４ｂ，２２５ｂでは反時計回りに流れる。
【０１０３】
これに対して、図１３Ａ，Ｄに示すように、２個のマグネット４６ａ，４６ｂが、上側にＮ極、下側にＳ極となるように着磁されていた場合には、各プリントコイル基板２２０ａ，２２０ｂには右向きの推力が形成されることになる。
【０１０４】
また、図１３Ｂ，Ｃに示すように、第２の支持ワイヤ４０ｂの接続される左下部の接続部２０６ｂが、フォーカス用プリントコイルの外側プリントコイル２２１ａ，２２１ｂの外周端に接続される。ここからプリントコイル２２１ａ，２２１ｂは、時計回りに内側に向かって巻回するように形成される。
【０１０５】
このプリントコイル２２１ａ，２２１ｂの内周端は、プリントコイル基板２２０ａ，２２０ｂを貫通されて裏側でプリントコイル２２１ａ，２２１ｂの外側に引き出され、第４の支持ワイヤ４０ｄに接続される右下部の接続部２０９ｂに接続される。
【０１０６】
これにより、各プリントコイル基板２２０ａ，２２０ｂに形成されたプリントコイル２２１ａ，２２１ｂは並列に設けられることになる。そして、例えば、第２の支持ワイヤ４０ｂから第４の支持ワイヤ４０ｄに向かって電流を流すことにより、その電流がプリントコイル２２１ａ，２２２ａを時計回りに流れる。
【０１０７】
これに対して、図１３Ｂ，Ｃに示すように、２個のマグネット４６ａ，４６ｂが、上側にＮ極、下側にＳ極となるように着磁されていた場合には、各プリントコイル基板２２０ａ，２２０ｂには上向きの推力が形成されることになる。
【０１０８】
このようにして、このような構成を有する２枚のプリントコイル基板２２０ａ，２２０ｂを用いた装置においても、上述した実施例と同様に、支持ワイヤ４０ａ，４０ｂ間、又は支持ワイヤ４０ｃ，４０ｄ間に流される電流に応じて、一対のプリントコイル基板２２０ａ，２２０ｂには上下及び左右方向の推力が発生される。そして、これらの推力が発生することにより、これらのプリントコイル基板２２０ａ，２２０ｂ及び対物レンズ４４の設けられた二軸可動部４１が移動される。その結果、対物レンズ４４を通じる光ビームに対するトラッキング及び／又はフォーカシングの制御駆動が行われる。
【０１０９】
尚、このようにプリントコイルが並列に接続されている構成では、例えば、プリントコイル基板を多層にして感度を向上させるような場合にも、容易に各層間の接続を行うことができる。また、このようにプリントコイルが並列に接続される構成では、上述したプリントコイル基板４３ａ，４３ｂ，２２０ａ，２２０ｂの左右中央に設けられている接続部２０５ａ，２０５ｂ及び２０８ａ，２０８ｂは不使用であり、これらの接続部は設けられていなくても良いものである。
【０１１０】
こうして上述の対物レンズ駆動装置（二軸アクチュエータ２４）によれば、少なくとも一の面側に第１の形態の第１のプリントコイルが形成され、他の面側に第２の形態の第２のプリントコイルが形成されてなる２枚のプリントコイル基板４３ａ，４３ｂ又は２２０ａ，２２０ｂが平行に設けられ、２枚のプリントコイル基板に対物レンズ４４の設けられた可動部が結合されると共に、平行に設けられる２枚のプリントコイル基板の間にマグネットが配置された構成を有し、第１及び第２のプリントコイルにそれぞれ駆動電流を供給して対物レンズの上下方向及び／又は左右方向の駆動を行うことにより、マグネットの両側に配置された２枚のプリントコイル基板によって２倍の推力が発生される。そのため、簡単な構成でありながら、対物レンズの制御駆動が良好に行われるようにすることができる。
【０１１１】
図１７〜図２１は、本発明の光ピックアップ装置の第２の実施例を示すものである。この第２の実施例に示す光ピックアップ装置１２０は、上述した第１の実施例におけるベース部材２２とカバー部材２３とを合体させて両者の機能を合わせ持つ１個の部材でスライドベース１２１を構成したものである。このスライドベース１２１と、これに搭載された二軸アクチュエータ１２２及び光学系機器１２３等によって光ピックアップ装置１２０が構成されている。
【０１１２】
図１７〜図１９に示すように、スライドベース１２１は、略長方形をなすベース部１２１ａと、このベース部１２１ａの長辺側の２辺及び短辺側の一辺に連続して立ち上げるように形成された側面部１２１ｂとを有している。このスライドベース１２１は、絶縁体の樹脂系材料（例えば、液晶ポリマー）によって形成された外装基材と、この外装基材によりインサート成形されて必要部分が外部に露出され且つその他の部分が外装基材内に埋設された導電体からなる回路芯材とによって構成されている。
【０１１３】
しかしながら、外装基材の材質としては、絶縁体の樹脂系材料に限定されるものではなく、絶縁体であれば金属を用いることもでき、またセラミックス等を適用することができる。
【０１１４】
スライドベース１２１の長手方向Ｘの一側には、これと交差する幅方向Ｙに所定の間隔をあけて一対の第１の軸受部１２４，１２４が設けられている。それぞれの第１の軸受部１２４には、その中心を同一にして幅方向Ｙに貫通する軸受穴１２４ａが設けられている。また、スライドベース１２１の長手方向Ｘの他側の幅方向Ｙの一側には、第１の軸受部１２４と反対側に突出する第２の軸受部１２５が設けられている。この第２の軸受部１２５には、長手方向Ｘの外側に開口する軸受溝１２５ａが設けられている。
【０１１５】
スライドベース１２１の略中央部には、上述した二軸アクチュエータ２４と略同様の構成を有する二軸アクチュエータ１２２が搭載されて一体的に構成されている。二軸アクチュエータ１２２は、スライドベース１２１に固定される支持部材１２７と、この支持部材１２７に固定された４本の支持ワイヤ１２８と、この４本の支持ワイヤ１２８の先端部に取り付けられた二軸可動部１２９等から構成されている。支持部材１２７は絶縁材料で形成された略直方体をなすブロック体からなり、その長手方向に所定の間隔をあけて複数のネジ挿通孔１２７ａが設けられている。更に、支持部材１２７の長手方向中央の下部には、光ビームを通過させるためのトンネル部１３０が設けられている。
【０１１６】
４本の支持ワイヤ１２８は、適当な弾性を有する導電材料によって形成されていると共に、支持部材１２７の四隅に互いに平行をなすように支持されている。これら４本の支持ワイヤ１２８の先端に支持された二軸可動部１２９は、絶縁材料によって形成されたレンズホルダ１３１と、このレンズホルダ１３１に支持固定された２枚で一対をなすプリントコイル基板１３２ａ，１３２ｂ等を備えて構成されている。レンズホルダ１３１は、ホルダ部１３１ａとバランス部１３１ｂと連結壁部１３１ｃ等を有している。ホルダ部１３１ａには貫通孔が設けられており、この貫通孔を塞ぐように対物レンズ１３３が接着剤等の固着手段により接着されて一体的に取り付けられている。
【０１１７】
２枚のプリントコイル基板１３２ａ，１３２ｂは、互いに所定の隙間をあけて平行をなすように配置されてレンズホルダ１３１に固定されている。そして、４本の支持ワイヤ１２８の各端部と２本の結線用ワイヤが、２枚のプリントコイル基板１３２ａ，１３２ｂの接続部にそれぞれ接続されている。更に、４本の支持ワイヤ１２８の各他端には、フレキシブル配線基板１３４の配線パターンが接続されている。
【０１１８】
また、２枚のプリントコイル基板１３２ａ，１３２ｂの間には、上述した第１の実施例と同様に、各プリントコイルとの間に所定の隙間をあけてマグネット１３５を介在させて設けている。そして、マグネット１３５を所定位置において所定高さに支持固定するため、スライドベース１２１には上方に突出する支持台１３６が設けられている。この支持台１３６には、マグネット１３５を直接載置させて固定し、両プリントコイル基板１３２ａ，１３２ｂの各プリントコイル面と、これに対向するマグネット１３５の各対向面とをそれぞれ平行又は略平行に設定する。
【０１１９】
支持台１３６には一対の挟持片１３７，１３７が設けられている。この挟持片１３７，１３７間にマグネット１３５を嵌合させて支持台１３６上に載置することにより、マグネット１３５を位置決めしてスライドベース１２１に固定することができる。マグネット１３５の中心は、２枚のプリントコイル基板１３２ａ，１３２ｂのプリントコイルにより発生される合推力点と略同一となるように設定する。
【０１２０】
また、光軸が上下方向に設定された対物レンズ１３３の下方には、光ビームの進行方向を変更させる反射ミラー１３８が配置されている。反射ミラー１３８は、スライドベース１２１に設けたミラー受け台１３９の傾斜面に固定されており、その反射面が水平面と略４５°をなすように設定されている。この反射ミラー１３８の反射面の中心は、これに対向するように配置されたレーザ光源１４０から出射される光ビームの光軸の中心と同一又は略同一となるように設定する。
【０１２１】
レーザ光源１４０は、スライドベース１２１の長手方向Ｘの第２の軸受部１２５側の端部において、回路芯材で形成された電気回路１４１上に実装されて電気的に接続されている。更に、電気回路１４１上のレーザ光源１４０の内側には、光検出器１４２が実装されて電気的に接続されている。図１９に示すように、レーザ光源１４０は光検出器１４２よりも一段高い位置に設定されており、従って、レーザ光源１４０から放射される光レーザは光検出器１４２に当たることなく、その上方を通過する。このレーザ光源１４０から放射される光ビームの光軸上にプリズム１４３と上述した反射ミラー１３８とが配置されている。
【０１２２】
この電気回路１４１を形成する回路芯材に、上述したフレキシブル配線基板１３４の配線パターンが接続され、電気的に接続されている。そして、図２１に示すように、レーザ光源１４０及び光検出器１４２を実装するための部分及びその周辺部の必要部分を除いて、回路芯材が外装基材によって覆われており、この電気回路の回路露出部１４４にレーザ光源１４０及び光検出器１４２が露出されている。
【０１２３】
図１７及び図１８は、回路芯材による電気回路１４１を露出させた状態を示すもので、スライドベース１２１の成形品となる前の中間品に相当するものである。このスライドベース１２１の側面には、回路芯材の一部をなす多数の端子１４５と外装基材の一部によってコネクタ部１４６が一体に形成されている。このコネクタ部１４６は、外部配線と接続するために設けたもので、その構造をＮＯＮＺＩＦタイプのコネクタとしたが、ＺＩＦタイプのコネクタであっても良い。
【０１２４】
また、図２１は、図１７に示す電気回路１４１の必要な部分（回路露出部１４４）を除いて回路芯材の上面を外装基材で覆った状態を示すものである。回路露出部１４４に実装されたレーザ光源１４０及び光検出器１４２は、ワイヤボンディング１４７等の接続手段によって周囲の電気回路と電気的に接続されている。そして、光検出器１４２の上方にプリズム１４３が配置されており、レーザ光源１４０から放射される光ビームが第１の回折格子３５ｂからプリズム１４３に入射される。また、プリズム１４３の第２の回折格子３５ｃから入力された戻りの光ビームは、反射面３５ａで反射されて光検出器１４２の受光部に入射される。
【０１２５】
尚、レーザ光源１４０、光検出器１４２及びプリズム１４３は、上述した第１の実施例と同様であるため、同一部分には同一の符号を付して、それらの説明を省略する。また、図１７等に示す符号１４３ａは、プリズム１４３をスライドベース１２１に固定するための孔付きのフランジ部である。このフランジ部１４３ａに対応させてスライドベース１２１には突起が設けられており、その突起を孔に嵌合させた後、突起の先端部をはんだ接着することによってプリズム１４３がスライドベース１２１に位置決めされて固定される。
【０１２６】
このような第２の実施例に係る光ピックアップ装置１２０によっても、上述した第１の実施例に係る光ピックアップ装置２０と同様の効果を得ることができる。即ち、スライドベース１２１を絶縁体で形成し、その内部若しくは表面上にインサート成形等によって電気回路を形成すると共に、電極を有するコネクタの機能を持たせる構成とすることにより、外部配線の電極を有する接続具と接続してスライドベース１２１内の電気回路と直接接続することができる。その結果、ＦＦケーブルや外部配線との接続に使用されるコネクタの使用を可及的に少なくすることができ、使用される部品点数を減少させて組立工数の軽減を図ることができる。
【０１２７】
更に、半導体レーザ１４０や光検出器１４２をスライドベース１２１に直接実装することができ、それぞれがワイヤボンディング１４７によってスライドベース１２１内の電気回路１４１と接続されているため、コストの高いレーザカプラ、ホログラムレーザユニット等の使用を廃止又は抑制することができると共に、光学系機器における精度の高い組み立てを可能とすることができる。
【０１２８】
以上説明したが、本発明は上記実施の例に限定されるものではなく、上記実施例においては、情報の記録と再生の双方が可能なディスク記録再生装置に適用した例について説明したが、記録又は再生の一方のみが可能なディスク記録装置又はディスク再生装置に適用できることは勿論である。更に、対物レンズ駆動装置として二軸アクチュエータを適用し、その具体例としてワイヤ支持方式を用いた例について説明したが、これに限定されるものではなく、例えば、可動部を板バネで支持するようにした板バネ方式、可動部をヒンジ機構によって支持するようにしたヒンジ方式等を適用することができるものである。
【０１２９】
このように、本発明は、その趣旨を逸脱しない範囲で種々変更できるものである。
【産業上の利用可能性】
【０１３０】
本出願の対物レンズ駆動装置によれば、マグネットの両側に配置された２枚のプリントコイル基板によって２倍の推力が発生され、簡単な構成で良好な対物レンズの制御駆動が行われるようにすることができる。
【０１３１】
また、本出願の光ピックップ装置によれば、装置全体の構造を簡単化させて部品点数を少なくすることができると共に、組立作業が容易であって組立性の向上を図るとができ、更に各部品の位置決め精度を高くすることができて、装置全体のコストダウンを図ることができる。
【０１３２】
更に、本出願の光情報記録及び／又は再生装置によれば、各種電子部品、電気機器の安定した固定を確保することができ、実装手段を簡略化させて装置の小型化、部品点数の削減等を図ることができる。
【図面の簡単な説明】
【０１３３】
【図１】本発明の光ピックアップ装置の第１の実施例を分解して示す斜視図である。
【図２】本発明の光ピックアップ装置の第１の実施例に係るスライドベースの製造工程を説明するための斜視図である。
【図３】本発明の光ピックアップ装置の第１の実施例に係るスライドベース及び対物レンズ駆動装置を示す斜視図である。
【図４】図３に示すスライドベースの要部を拡大して示す斜視図である。
【図５】図３に示すスライドベースを底面側から見た斜視図である。
【図６】本発明の光ピックアップ装置の第１の実施例を光学系に沿って断面して示す説明図である。
【図７】図６に示す光ピックアップ装置の要部を拡大して示す断面図である。
【図８】本発明の光ピックアップ装置の第１の実施例を底面側から見た斜視図である。
【図９】本発明の光ピックアップ装置の第１の実施例に係るプリントコイル基板のプリントコイルの第１の実施例を示すもので、同図Ａは表側からフォーカス用プリントコイルを見た説明図、同図Ｂは表側から裏側を透かしてトラッキング用プリントコイルを見た説明図である。
【図１０】本発明の光ピックアップ装置の第１の実施例に係る一対のプリントコイル基板のフォーカス用プリントコイルの結線状態を表側から見た説明図である。
【図１１】本発明の光ピックアップ装置の第１の実施例に係る一対のプリントコイル基板のトラッキング用プリントコイルの結線状態を表側から裏側を透かして見た説明図である。
【図１２】新旧のコイル部材に基づく力の方法（Ｆ）、磁束（Ｂ）及び電流の方向（Ｉ）を比較して説明するもので、同図Ａは本発明の光ピックアップ装置の一実施例に係る一対のプリントコイル基板の場合の説明図、同図Ｂは従来の巻線コイルの場合の説明図である。
【図１３】本発明の光ピックアップ装置の第１の実施例に係るプリントコイル基板のプリントコイルの第２の実施例を示すもので、同図Ａは表側からフォーカス用プリントコイル及びマグネットを見た説明図、同図Ｂは表側から裏側を透かしてトラッキング用プリントコイル及びマグネットを見た説明図、同図Ｃは表側からフォーカス用プリントコイルを見た説明図、同図Ｄは表側から裏側を透かしてトラッキング用プリントコイルを見た説明図である。
【図１４】本発明の光情報記録及び／又は再生装置の一実施例を示す斜視図である。
【図１５】本発明の光情報記録及び／又は再生装置に係るピックアップ移動装置の送りねじ駆動装置を示す斜視図である。
【図１６】本発明の光情報記録及び／又は再生装置の一実施例の概略構成を示すブロック説明図である。
【図１７】本発明の光ピックアップ装置の第２の実施例を平面側から見た斜視図である。
【図１８】本発明の光ピックアップ装置の第２の実施例の平面図である。
【図１９】本発明の光ピックアップ装置の第２の実施例を光学系に沿って断面して示す説明図である。
【図２０】本発明の光ピックアップ装置の第２の実施例の光学系を示す説明図である。
【図２１】本発明の光ピックアップ装置の第２の実施例に係るスライドベースの要部を示す斜視図である。
【図２２】従来の光ピックアップ装置の対物レンズ駆動装置に用いられる基台及びヨークを示す斜視図である。
【符号の説明】
【０１３４】
２０，１２０‥‥光ピックアップ装置、  ２１，１２１‥‥スライドベース、  ２２‥‥ベース部材、  ２３‥‥カバー部材、  ２４，１２２‥‥二軸アクチュエータ、  ２５，１４０‥‥レーザ光源、  ２６，１４２‥‥光検出器、  ３５，１４３‥‥プリズム、  ４４，１３３‥‥対物レンズ、  ４６，１３５‥‥マグネット、  ８０‥‥ディスク記録再生装置（光情報記録及び／又は再生装置）、  ８１‥‥ディスク回転装置、  ８２‥‥ピックアップ移動装置、  ８３‥‥シャーシ、  ２００ａ，２００ｂ，２０１ａ，２０１ｂ，２２１ａ，２２１ｂ，２２３ａ，２２３ｂ，２２４ａ，２２４ｂ‥‥フォーカス用プリントコイル、  ２０２ａ，２０２ｂ，２０３ａ，２０３ｂ，２２５ａ，２２５ｂ，２２６ａ，２２６ｂ‥‥トラッキング用プリントコイル、  ２０４ａ，２０４ｂ，２０５ａ，２０５ｂ，２０６ａ，２０６ｂ，２０７ａ，２０７ｂ，２０８ａ，２０８ｂ，２０９ａ，２０９ｂ‥‥接続部
【図１】
0004192783.tif 000002
【図２】
0004192783.tif 000003
【図３】
0004192783.tif 000004
【図４】
0004192783.tif 000005
【図５】
0004192783.tif 000006
【図６】
0004192783.tif 000007
【図７】
0004192783.tif 000008
【図８】
0004192783.tif 000009
【図９Ａ】
0004192783.tif 000010
【図９Ｂ】
0004192783.tif 000011
【図１０】
0004192783.tif 000012
【図１１】
0004192783.tif 000013
【図１２Ａ】
0004192783.tif 000014
【図１２Ｂ】
0004192783.tif 000015
【図１３Ａ】
0004192783.tif 000016
【図１３Ｂ】
0004192783.tif 000017
【図１３Ｃ】
0004192783.tif 000018
【図１３Ｄ】
0004192783.tif 000019
【図１４】
0004192783.tif 000020
【図１５】
0004192783.tif 000021
【図１６】
0004192783.tif 000022
【図１７】
0004192783.tif 000023
【図１８】
0004192783.tif 000024
【図１９】
0004192783.tif 000025
【図２０】
0004192783.tif 000026
【図２１】
0004192783.tif 000027
【図２２】
0004192783.tif 000028
0004192783.tif 000029